(57)【特許請求の範囲】
【請求項１】
映像信号をレベル方向に区切りその各エリア毎に圧縮率を算出する輝度圧縮回路において、
前記映像信号を３原色に分離したＲＧＢ信号から輝度信号を生成する輝度信号生成回路と、
前記輝度信号から特定周波数成分を抽出する特定周波数成分抽出回路と、
前記輝度信号のレベルに応じて区切られた所定のエリアに前記特定周波数成分の輝度信号を分割する輝度信号分割回路と、
前記各エリア毎に分割された特定周波数成分の輝度信号の絶対値を積分する積分回路と、
前記積分回路の算出した各エリア毎の積分量の大きさに応じて各エリア毎の圧縮率を算出する圧縮率算出回路と、
前記算出された圧縮率に応じて前記ＲＧＢ信号を圧縮する圧縮回路と、
を備え、
前記特定周波数成分抽出回路は、人間の目が一番感度の高い周波数成分を強調した強調信号を生成する輪郭強調回路であることを特徴とする輝度圧縮回路。
【請求項２】
前記輝度信号分割回路は、所定の信号レベル以上のレベルにある高輝度信号を前記所定のエリアに分割し、
前記圧縮率算出回路は、前記高輝度信号に関する各エリア毎の圧縮率を算出することを特徴とする請求項１記載の輝度圧縮回路。
【請求項３】
前記圧縮率算出回路は、所定の信号レベル以上の高輝度信号において最大輝度が最大白レベルとなるように算出された圧縮率である係数をＫｓとするとき、前記Ｎ個に分割された所定のエリア毎に算出された積分量Ｃｎ（ただし、Ｎ、ｎは整数）と前記積分量Ｃｎの総和であるΣＣとから、前記各所定のエリアの圧縮率である係数が、式Ｋｓ×（Ｃｎ／ΣＣ）×Ｎで表されることを特徴とする請求項２記載の輝度圧縮回路。
【請求項４】
さらに、前記輝度信号生成回路の出力である輝度信号を信号レベル毎に各エリアに分割し、前記各エリア毎の面積を算出する積分器を有することを特徴とする請求項１記載の輝度圧縮回路。
【請求項５】
さらに、所定の信号レベル以上の高輝度信号において最大輝度が最大白レベルとなるように算出された圧縮率である係数をＫｓとするとき、前記Ｎ個に分割された所定のエリア毎に算出された積分量Ｃｎ（ただし、Ｎ、ｎは整数）と前記積分量Ｃｎの総和であるΣＣと前記Ｎ個に分割された所定のエリア毎に算出された面積Ｍｎと前記面積Ｍｎの総和であるΣＭとから、前記各所定のエリアの圧縮率である係数が、式Ｋｓ×Ｎ×（Ｃｎ／ΣＣ）／（Ｍｎ／ΣＭ）で表されることを特徴とする請求項４記載の輝度圧縮回路。
【請求項６】
さらに、前記特定周波数成分抽出回路の出力信号を２値化し、前記輝度信号分割回路へ出力する２値化回路を有することを特徴とする請求項１記載の輝度圧縮回路。
【発明の詳細な説明】
【０００１】
【発明の属する技術分野】
本発明は輝度圧縮回路に関し、特に映像信号をレベル方向に区切りその各エリア毎に圧縮率を算出する輝度圧縮回路に関する。
【０００２】
【従来の技術】
カラーテレビ方式であるＮＴＳＣ（Ｎａｔｉｏｎａｌ  ＴｅｌｅｖｉｓｉｏｎＳｙｓｔｅｍ  Ｃｏｍｍｉｔｔｅｅ）や、ＰＡＬ（Ｐｈａｓｅ  Ａｌｔｅｒｎａｔｉｏｎ  Ｌｉｎｅ）といった映像信号規格では、最小黒レベルと最大白レベルが決まっており、規格上の最大白レベルより明るい部分を表示することはできない。このため、テレビジョンカメラ（以下、カメラとする）等で自然画のようなダイナミックレンジの大きな信号をこの範囲に納めようとする場合、高輝度部分を圧縮することが必要になる。このようなカメラの構成、及びカメラに搭載された輝度圧縮回路について説明する。
【０００３】
最初にカメラの構成について説明する。図６は、カメラの構成図である。レンズ６１０から入った被写体の像は、プリズム６２０を通って光の３原色Ｒ、Ｇ、Ｂに分離され、撮像素子Ｒ（６３０ａ）、Ｇ（６３０ｂ）、Ｂ（６３０ｃ）上に結像する。撮像素子６３０ａ、６３０ｂ、６３０ｃより抽出された信号は、ホワイトバランス回路６４０で色温度補正を受け、輪郭強調回路６５０で輪郭強調処理が施され、輝度圧縮回路６６０で高輝度部分が圧縮され、ガンマ補正回路６７０ａ、６７０ｂ、６７０ｃでそれぞれの色信号にガンマ補正が施され、ホワイト／ブラック・クリップ回路６８０ａ、６８０ｂ、６８０ｃで信号の最大値と最小値の規制が行われ、エンコード回路６９０を経由して複合映像信号が生成される。
【０００４】
次に、輝度圧縮回路について説明する。一般的には、白レベルを１００パーセントとすると、最大白レベル（以下、ホワイトクリップレベル：ｗｈｉｔｅ  ｃｌｉｐ  ｌｅｖｅｌとする）は、１０５ないし１１０パーセントと決まっているので、例えば、ＣＣＤ等の撮像素子から得られた２００パーセントの信号を１１０パーセントに納めるために、９５パーセント（ニーポイント：ｋｎｅｅ  ｐｏｉｎｔ）〜２００パーセントの信号をレベル方向に圧縮し、１００パーセントに納めている。最も単純な圧縮を行う輝度圧縮回路の動作について説明する。図７は、従来の最も単純な輝度圧縮回路の出力信号レベル図である。このような輝度圧縮回路では、ニーポイントより大きな信号は、図に示すような折れ線カーブになるように圧縮を行う。
【０００５】
また、上記説明のようにニーポイント以上の信号を単一に圧縮するのではなく、映像信号をレベル方向に分割し、各部の面積に対応した部分の圧縮伸張を行う処理がある。これは、面積の多いところでは圧縮率を低くすることで、映像の出現率の多い部分を目立たせる技術である。このような技術を用いた従来の輝度圧縮回路は、映像信号をレベル方向に任意の数のエリアに分割し、それぞれに対応したエリアゲートを作り、各部分の輝度信号を分割する。分割した部分の面積を測定し、その量に応じた圧縮率を算出し、輝度圧縮を行う。例えば、エリア１の部分で圧縮率が高められ、エリア２の部分が圧縮率を緩和される等、エリア毎の輝度信号の面積に応じて決められた圧縮率で圧縮を行う。
【０００６】
【発明が解決しようとする課題】
しかし、従来の輝度圧縮回路では、高輝度圧縮された映像が自然な映像とならないという問題がある。
【０００７】
上記説明のように、従来の圧縮率算出は、単に各エリア毎に分割した輝度信号の面積のみを拠り所にしている。このため、広い壁のような背景の中に顔があるような被写体の場合、顔を目立たせるべきなのに壁を目立たせるように動作してしまい、逆効果となってしまう。
【０００８】
本発明はこのような点に鑑みてなされたものであり、より自然な輝度圧縮を可能にする輝度圧縮回路を提供することを目的とする。
【０００９】
【課題を解決するための手段】
本発明は、上記課題を解決するために、映像信号をレベル方向に区切りその各エリア毎に圧縮率を算出する輝度圧縮回路において、前記映像信号を３原色に分離したＲＧＢ信号から輝度信号を生成する輝度信号生成回路と、前記輝度信号から特定周波数成分を抽出する特定周波数成分抽出回路と、前記輝度信号のレベルに応じて区切られた所定のエリアに前記特定周波数成分の輝度信号を分割する輝度信号分割回路と、前記各エリア毎に分割された特定周波数成分の輝度信号の絶対値を積分する積分回路と、前記積分回路の算出した各エリア毎の積分量の大きさに応じて各エリア毎の圧縮率を算出する圧縮率算出回路と、前記算出された圧縮率に応じて前記ＲＧＢ信号を圧縮する圧縮回路とを備え、前記特定周波数成分抽出回路は、人間の目が一番感度の高い周波数成分を強調した強調信号を生成する輪郭強調回路であることを特徴とする。
【００１０】
このような構成の輝度圧縮回路では、輝度信号生成回路によりＲＧＢ信号から輝度信号を生成し、特定周波数成分抽出回路を通し、特定の周波数成分の輝度信号を生成する。上記特定周波数成分抽出回路は、特定周波数成分の輝度信号として人間の目が一番感度の高い周波数成分を強調した強調信号を生成する輪郭強調回路である。輝度信号分割回路により、特定周波数成分の輝度信号を輝度信号のレベル毎に区切られた所定のエリアに分割する。各エリアに分割された特定周波数成分の輝度信号は、積分回路により絶対値を積分する。この各エリア毎に積分された輝度信号の積分量の大きさに応じて、圧縮率算出回路により各エリア毎の圧縮率が算出される。圧縮回路は、算出された圧縮率でＲＧＢ信号を圧縮する。
【００１１】
【発明の実施の形態】
以下、本発明の実施の形態を図面を参照して説明する。本発明では、人間の目につきやすい被写体には、エッジ成分（輪郭）が多いことを利用する。エッジ成分が多いということは、特定周波数成分を多く含んでいるということであるので、この部分を強調するように動作させる。
【００１２】
本発明の一実施の形態である輝度圧縮回路について具体的に説明する。図１は、本発明の一実施の形態である輝度圧縮回路のブロック図である。本発明に係る輝度圧縮回路は、輝度信号を生成する輝度信号生成部１１０、特定周波数成分を抽出する特定周波数成分抽出回路であるバンドパスフィルター（以下、ＢＰＦとする）１２０、レベルに応じて所定のエリアに輝度信号を分割する輝度信号分割回路を構成するレベルコンパレータ１３０とエリアゲート１４０−１、１４０−２、…、１４０−ｎ（ｎは任意の整数）、分割された輝度信号の絶対値を積分する積分器１５０−１、１５０−２、…、１５０−ｎ、各エリア毎の圧縮率を算出する圧縮率算出回路であるマイコン１６０、及びＲＧＢ信号を圧縮する圧縮回路である掛け算器１７０−１、１７０−２、…、１７０−ｎとから構成される。
【００１３】
輝度信号生成部１１０は、映像信号を３原色に分離したＲＧＢ信号を入力し、これらから輝度信号Ｙを生成し、ＢＰＦ１２０とレベルコンパレータ１３０へ出力する。ＢＰＦ１２０は、輝度信号Ｙを入力し、特定の周波数成分のみを通過させる。特定の周波数成分は、人間の目に一番感度の高い周波数成分で、例えば３ＭＨｚ付近の周波数である。これは、人間の目につきやすい被写体には、エッジ成分が多いことによる。レベルコンパレータ１３０は、輝度信号Ｙを入力し、レベルの判定を行い、判定結果に応じてエリアゲート１４０−１、１０４−２、１４０−３、…、１４０−ｎを制御するエリアゲートである。エリアは、入力信号のレベル方向に任意のｎ段階に分割されている。上記説明のように、高輝度圧縮を行う場合は、ニーポイント以上の信号レベルにエリアが設けられている。エリアゲート１４０−１、１４０−２、１４０−３、…、１４０−ｎは、レベルコンパレータ１３０の制御に応じて、ＢＰＦ１２０と各エリアの積分器１５０−１、１５０−２、１５０−３、…、１５０−ｎ間の接続のオン・オフを行い、ＢＰＦ１２０を通過した信号を該当するエリアに格納する。レベルコンパレータ１３０は、輝度信号のレベルに対応するエリアのエリアゲート１４０−１、１４０−２、１４０−３、…、または１４０−ｎのいずれかをオンにし、ＢＰＦ１２０を通過した信号を該当するエリアの積分器１５０−１、１５０−２、１５０−３、…、１５０−ｎに送出する。積分器１５０−１、１５０−２、１５０−３、…、１５０−ｎは、分割された特定周波数成分の輝度信号の絶対値を積分し、マイコン１６０へ出力する。マイコン１６０は、各エリア毎に算出された積分量に応じて各エリア毎の圧縮率を算出する。マイコン１６０の演算処理については後述する。算出された圧縮率は、掛け算器１７０−１、１７０−２、１７０−３に出力される。掛け算器１７０−１、１７０−２、１７０−３は、各エリア毎に算出された圧縮率とＲＧＢ信号とを乗算し、ＲＧＢ信号の圧縮を行う。
【００１４】
このような構成の輝度圧縮回路の動作について説明する。
最初に、輝度信号生成部１１０は、Ｒｉｎ、Ｇｉｎ、Ｂｉｎで示されるＲＧＢ信号から輝度信号Ｙを生成する。この輝度信号をレベル方向に分割し、それぞれに対応したエリアを設ける。輝度信号は、特定周波数成分を通過させるＢＰＦ１２０を通過し、輝度信号のレベルを判定し、各エリアに対応して設けられたエリアゲート１４０−１、１４０−２、１４０−３、…、１４０−ｎを制御するレベルコンパレータ１３０により各エリアに分割される。分割された特定周波数成分の輝度信号は、各エリア毎に設けられた積分器１５０−１、１５０−２、１５０−３、…、１５０−ｎで絶対値を積分する。マイコン１６０は、各エリア毎に算出された積分量に応じて、各エリアの圧縮率を算出する。掛け算器１７０−１、１７０−２、１７０−３は、算出された圧縮率によりＲＧＢ信号を圧縮する。
【００１５】
次に、マイコン１６０の演算処理について説明する。ここで、輝度圧縮回路は、ニーポイント以上の高輝度部の圧縮を行うとする。図２は、本発明の一実施の形態である輝度圧縮回路の出力信号レベル図である。輝度信号のニーポイント以上のレベルを、任意のＮ個のエリアに分割する。図に示すように、ニーポイント０から１までをエリア１（Ａ１）、ニーポイント１から２までをエリア２（Ａ２）、…、ニーポイントｎ−１からｎまでをエリアｎ（Ａｎ）というようにＮ個のエリアに分割する。実線２１０は入力信号レベルに対する出力信号レベルを示している。点線２２０は、圧縮を行わない場合の輝度信号レベルを示している。
【００１６】
入出力信号から算出された輝度信号の最大値をＹｐ、高輝度圧縮を開始するニーポイントをＫｐ、ホワイトクリップレベルをＷｃとすると、基準となる圧縮率（係数Ｋｓ）は、次の式で算出することができる。
【００１７】
【数１】
Ｋｓ＝（Ｗｃ−Ｋｐ）／（Ｙｐ−Ｋｐ）                      …（１）
破線２３０は、係数Ｋｓの圧縮率で圧縮した場合の出力信号レベルを示している。次に、各エリアＡ１、…、Ａｎ毎に設けられた積分器により算出された積分量をＣｎとする。また、エリアの総数をＮとすると、各エリア毎の圧縮率（係数Ｋｓｎ）は、次の式で算出することができる。
【００１８】
【数２】
Ｋｓｎ＝Ｋｓ×（Ｃｎ／ΣＣ）×Ｎ                          …（２）
このように、積分量が大きいエリアの係数は大きくなり、積分量が小さいエリアの係数は小さくなる。言い換えると、積分量が大きいエッジ成分を多く含んでいるエリアの圧縮率は緩和され、積分量が小さいエッジ成分をあまり含んでいないエリアの圧縮率は高められる。図に示した場合には、エリア１（Ａ１）で圧縮率が高められ、エリア３（Ａ３）で圧縮率が緩和されている。このため、エッジ成分を多く含むエリア３（Ａ３）が強調される。
【００１９】
算出された圧縮率に応じて、掛け算器では、次の式の演算を行い出力信号を算出する。ここで、入力をｘ、出力をｙとする。
【００２０】
【数３】
ｙ＝Ｋｓｎ×（ｘ−Ｋｐ）＋Ｋｐ                            …（３）
Ｋｓｎは、上記説明のように、入力レベルに応じて変わる係数である。また、レベルがニーポイントＫｐより小さな信号には、以上の処理を行わない。
【００２１】
このようにして、実線２１０に示す出力信号を得ることができる。ニーポイントＫｐ以下の信号は、そのまま出力され、ニーポイントＫｐ以上の高輝度信号は、特定周波数成分の量に応じて圧縮率が設定され、圧縮される。このとき、エッジ成分を多く含むエリアの圧縮率が緩和されるため、エッジ部分が強調された自然な映像信号を得ることできるようになる。
【００２２】
上記の説明では、特に高輝度部分の圧縮について説明したが、これを全領域にわたって行うこともできる。図１に戻って説明する。
全領域をニーポイントＫｐで分け、ニーポイントＫｐ以上の領域は上記説明の処理と同じとする。ここでは、ニーポイントＫｐ以下の領域での処理について説明する。ニーポイントＫｐ以下の領域の輝度信号は、ニーポイントＫｐ以上の場合と同様にＢＰＦ１２０通過後の特定周波数成分の輝度信号をレベルコンパレータ１３０、及びエリアゲート１４０−ｍにより、Ｍ分割される（ｍ、Ｍは任意の整数とする）。各エリアゲート１４０−ｍを通過した特定周波数成分の輝度信号は、積分器１５０−ｍにより、絶対値を積分し、マイコン１６０に送る。マイコン１６０は、積分量に応じて各エリア毎の圧縮率を算出する。圧縮率、すなわち各エリアでの係数Ｋｓｍは、次の式で算出される。
【００２３】
【数４】
Ｋｓｍ＝（Ｃｍ／ΣＣ）×Ｍ                                …（４）
続いて、掛け算器１７０−１、１７０−２、１７０−３では、算出された圧縮率に応じて、ＲＧＢ信号の圧縮を行う。入力信号をｘ、出力信号をｙとすると、次式の演算を行う。ただし、Ｋｓｍは、入力レベルに応じて変わる係数である。
【００２４】
【数５】
ｙ＝Ｋｓｍ×ｘ                                            …（５）
このように、全領域においてエッジ成分を強調して輝度圧縮を行うことが可能である。
【００２５】
さらに強い強調をすることのできる輝度圧縮回路について説明する。図３は、本発明の他の実施の形態である輝度圧縮回路のブロック図である。図１と同じものには同じ番号を付し、説明は省略する。本発明に係る輝度圧縮回路は、輝度信号生成部１１０、ＢＰＦ１２０、レベルコンパレータ１３０、ＢＰＦ１２０を通過した特定周波数成分の輝度信号とＢＰＦ１２０を通過しない輝度信号を所定の信号レベルに分割するエリアゲート３１０−１、３１０−２、…、３１０−ｎ、積分器１５０−１、１５０−２、…、１５０−ｎ、ＢＰＦ１２０を通過しない輝度信号の面積を算出する積分器３２０−１、３２０−２、…、３２０−ｎ、積分器３２０−１、３２０−２、…、３２０−ｎと積分器１５０−１、１５０−２、…、１５０−ｎとの比を算出する除算器３３０−１、３３０−２、…、３３０−ｎ、マイコン１６０、及び掛け算器１７０−１、１７０−２、１７０−３とから構成される。
【００２６】
エリアゲート３１０−１、３１０−２、…、３１０−ｎは、レベルコンパレータ１３０の制御に応じて、ＢＰＦ１２０と各エリアの積分器１５０−１、１５０−２、１５０−３、…、１５０−ｎ間、及び輝度信号生成部１１０と積分器３２０−１、３２０−２、…、３２０−ｎ間との接続のオン・オフを行う。積分器３２０−１、３２０−２、…、３２０−ｎは、エリアゲート３１０−１、３１０−２、…、３１０−ｎによって各エリアに分割された輝度信号の面積を各エリア毎に算出する。除算器３３０−１、３３０−２、…、３３０−ｎは、各エリア毎に算出された特定周波数の輝度信号の積分量と輝度信号の面積との比を算出する。
【００２７】
このような構成の輝度圧縮回路の動作について説明する。輝度信号生成部１１０は、ＲＧＢ信号から輝度信号Ｙを生成する。この輝度信号をレベル方向に分割し、それぞれに対応したエリアを設ける。ＢＰＦ１２０は、輝度信号のうち特定の周波数成分だけを通過させ出力する。特定の周波数成分は、上記説明と同様にエッジ成分である。レベルコンパレータ１３０は、輝度信号のレベルを判定し、各エリアに対応して設けられたエリアゲート３１０−１、３１０−２、…、３１０−ｎを制御する。レベルコンパレータ１３０の判定した信号レベルに該当するエリアのエリアゲート３１０−ｎがオンになることにより、輝度信号及び特定周波数成分の輝度信号が各エリアに分割される。分割された特定周波数成分の輝度信号は積分器１５０−１、１５０−２、…、１５０−ｎに、輝度信号は積分器３２０−１、３２０−２、…、３２０−ｎに入力する。分割された特定周波数成分の輝度信号は、各エリア毎に設けられた積分器１５０−１、１５０−２、１５０−３、…、１５０−ｎで絶対値を積分する。この積分量をＣｎとする。また、輝度信号は、各エリア毎に設けられた積分器３２０−１、３２０−２、…、３２０−ｎで面積が算出される。この面積をＭｎとする。除算器３３０−１、３３０−２、…、３３０−ｎは、各エリア毎に積分量Ｃｎと面積Ｍｎとの比を算出する。積分量Ｃｎ、面積Ｍｎ、及びその比は、マイコン１６０に送られ、ここで圧縮率が算出される。ここで、輝度圧縮回路は、ニーポイント以上の高輝度部の圧縮を行うとする。また、基準となる圧縮率（係数Ｋｓ）は、式（１）により求めてあるとする。エリアの分割数をＮとすると、各部での係数Ｋｓｎは、次の式で算出される。
【００２８】
【数６】
Ｋｓｎ＝Ｋｓ×Ｎ×（Ｃｎ／ΣＣ）／（Ｍｎ／ΣＭ）              …（６）
算出された圧縮率に応じて、掛け算器１７０−１、１７０−２、１７０−３では、式（３）の演算を行い出力信号を算出する。
【００２９】
このように、目立つ周波数成分（特定周波数成分）を持っている場合、たとえ小さな被写体であっても面積に依存することなく、強調することが可能となり、より強い強調をすることができる。
【００３０】
次に、一般的にカメラが備えている輪郭強調回路の信号を利用した輝度圧縮回路について説明する。図４は、本発明の他の実施の形態である輝度圧縮回路のブロック図である。図１と同じものには同じ番号を付し、説明は省略する。本発明に係る輝度圧縮回路は、輝度信号生成部１１０、レベルコンパレータ１３０、エリアゲート１４０−１、１４０−２、１４０−３、…、１４０−ｎ、積分器１５０−１、１５０−２、１５０−３、…、１５０−ｎ、マイコン１６０、及び掛け算器１７０−１、１７０−２、１７０−３とから構成される。
【００３１】
各エリアの積分器１５０−１、１５０−２、１５０−３、…、１５０−ｎには、特定周波数成分の輝度信号ではなく、輪郭強調回路の出力信号である強調信号（ＤＴＬ）が信号レベルに応じて分割されて入力する。輪郭強調回路は、カメラが一般的に備えている輪郭（エッジ）成分を強調させたＤＴＬ信号を生成する回路で、水平方向ばかりでなく、垂直方向にも輪郭強調がなされているものが一般的である。
【００３２】
このような構成の輝度回路の動作について説明する。輝度信号生成部１１０は、ＲＧＢ信号から輝度信号Ｙを生成する。この輝度信号をレベル方向に分割し、それぞれに対応したエリアを設ける。レベルコンパレータ１３０は、輝度信号のレベルを判定し、各エリアに対応して設けられたエリアゲート１４０−１、１４０−２、１４０−３、…、１４０−ｎを制御する。レベルコンパレータ１３０の判定した信号レベルに該当するエリアのエリアゲート１４０−ｎがオンになることにより、ＤＴＬ信号が各エリアに分割される。分割されたＤＴＬ信号は積分器１５０−１、１５０−２、１５０−３、…、１５０−ｎで絶対値が積分される。各エリアの積分量はマイコン１６０に送られ、圧縮率が算出される。掛け算器１７０−１、１７０−２、１７０−３は、算出された圧縮率でＲＧＢ信号を圧縮する。
【００３３】
このように輪郭強調回路のＤＴＬ信号をバンドパスフィルターを通過した輝度信号の代わりに用いても、同様の効果を得ることができる。さらに、輪郭強調は、一般的に垂直方向でも行われているため、より高い効果を得ることができる。
【００３４】
次に、ＢＰＦ通過後の信号を２値化する輝度圧縮回路について説明する。図５は、本発明の他の実施の形態である輝度圧縮回路のブロック図である。図１と同じものには同じ番号を付し、説明は省略する。本発明に係る輝度圧縮回路は、輝度信号生成部１１０、ＢＰＦ１２０、２値化回路５１０、レベルコンパレータ１３０、エリアゲート１４０−１、１４０−２、１４０−３、…、１４０−ｎ、２値化後の信号を積分し面積を算出するカウンタ５２０−１、５２０−２、５２０−３、…、５２０−ｎ、マイコン１６０、及び掛け算器１７０−１、１７０−２、１７０−３とから構成される。
【００３５】
２値化回路５１０は、ＢＰＦ１２０通過後の特定周波数成分の輝度信号の絶対値をある値で２値化し、レベルコンパレータ１３０の制御に従ってオン・オフするエリアゲート１４０−１、１４０−２、１４０−３、…、１４０−ｎにより、所定のエリアのカウンタ５２０−ｎに出力する。カウンタ５２０−１、５２０−２、５２０−３、…、５２０−ｎは、各エリア毎に分割された２値化信号を積分し、面積を算出する。
【００３６】
このような構成の輝度回路の動作について説明する。輝度信号生成部１１０は、ＲＧＢ信号から輝度信号Ｙを生成する。この輝度信号Ｙをレベル方向に分割し、それぞれに対応したエリアを設ける。ＢＰＦ１２０は、輝度信号のうち特定の周波数成分だけを通過させ出力する。特定の周波数成分は、上記説明と同様にエッジ成分である。さらに、２値化回路５１０により、絶対値をある値で２値化する。特定周波数成分のレベルコンパレータ１３０は、輝度信号のレベルを判定し、各エリアに対応して設けられたエリアゲート１４０−１、１４０−２、１４０−３、…、１４０−ｎを制御する。レベルコンパレータ１３０の判定した信号レベルに該当するエリアのエリアゲート１４０−ｎがオンになることにより、２値化信号が各エリアに分割される。分割された２値化信号をカウンタ５２０−１、５２０−２、５２０−３、…、５２０−ｎで積分し、面積を算出する。各エリア毎に算出した面積はマイコン１６０に送られ、圧縮率を算出する。掛け算器１７０−１、１７０−２、１７０−３は、算出された圧縮率でＲＧＢ信号を圧縮する。
【００３７】
ここでは、ＢＰＦ１２０通過後の信号としたが、もちろんＤＴＬ信号であってもよい。このようにＢＰＦ１２０通過後の信号や、ＤＴＬ信号を直接積分するのではなく、絶対値をある値で２値化し、それを積分することで、例えば高周波成分の多いところの面積を算出することができる。
【００３８】
以上、本発明の実施の形態について説明したが、例えば、ＤＴＬ信号と面積との比をとる輝度圧縮回路を構成するなど、各構成部の組み合わせは、上記説明の実施の形態に限定されない。
【００３９】
【発明の効果】
以上説明したように本発明では、輝度信号から特定の周波数成分を抽出する特定周波数成分抽出回路として輪郭強調回路を用いて、特定周波数成分の輝度信号として人間の目が一番感度の高い周波数成分を強調した強調信号を生成する。この特定周波数成分の輝度信号を輝度信号のレベル毎に区切られた所定のエリアに分割し、その絶対値を積分する。この各エリア毎に積分された輝度信号の積分量の大きさに応じて、圧縮率算出回路により各エリア毎の圧縮率が算出され、この圧縮率でＲＧＢ信号を圧縮する。このように、輪郭強調回路により生成される強調信号、すなわち、エッジ成分を特定周波数成分の輝度信号とし、各エリア毎に、強調したい特定周波数成分の積分量に応じてそのエリアの圧縮率を算出するため、面積だけに依存するのではなく、人の眼に目立ちやすい被写体をより強調するように輝度圧縮を行うことができる。このため、その映像信号は、より自然な映像を作り出すことができる。
【図面の簡単な説明】
【図１】本発明の一実施の形態である輝度圧縮回路のブロック図である。
【図２】本発明の一実施の形態である輝度圧縮回路の出力信号レベル図である。
【図３】本発明の他の実施の形態である輝度圧縮回路のブロック図である。
【図４】本発明の他の実施の形態である輝度圧縮回路のブロック図である。
【図５】本発明の他の実施の形態である輝度圧縮回路のブロック図である。
【図６】カメラの構成図である。
【図７】従来の最も単純な輝度圧縮回路の出力信号レベル図である。
【符号の説明】
１１０…輝度信号生成部、１２０…バンドパスフィルター（ＢＰＦ）、１３０…レベルコンパレータ、１４０−１、１４０−２、１４０−３、１４０−ｎ…エリアゲート、１５０−１、１５０−２、１５０−３、１５０−ｎ…積分器、１６０…マイコン、１７０−１、１７０−２、１７０−３…掛け算器
【図１】
0004273584.tif 000002
【図２】
0004273584.tif 000003
【図３】
0004273584.tif 000004
【図４】
0004273584.tif 000005
【図５】
0004273584.tif 000006
【図６】
0004273584.tif 000007
【図７】
0004273584.tif 000008